【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
複数の冷陰極管と、
前記複数の冷陰極管の投光方向に、全光線透過率が６２乃至７１％で、かつ、曇価が９０乃至９９％である、調光用ドットパターンが印刷された拡散板とを備え、
前記調光用ドットパターンの各ドットは、前記冷陰極管の間隔を２４乃至４８分割した位置に配置され、さらに、前記各ドットの径は、前記冷陰極管からの距離に応じて０．１６乃至０．７ｍｍである
ことを特徴とするバックライト装置。
【請求項２】
前記拡散板の全光線透過率が略６２％であって、前記調光用ドットパターンの各ドットが、前記冷陰極管の間隔を２４分割した位置に配置された場合、前記各ドットの径は、前記冷陰極管からの距離に応じて、０．１６乃至０．６８ｍｍであって、前記冷陰極管からの距離が遠くなるに従って０．１６ｍｍに近い値となり、冷陰極管からの距離が近くなるに従って０．６８ｍｍに近い値となる
ことを特徴とする請求項１記載のバックライト装置。
【請求項３】
前記拡散板の全光線透過率が略６６％であって、前記調光用ドットパターンの各ドットが、前記冷陰極管の間隔を４８分割した位置に配置された場合、前記各ドットの径は、前記冷陰極管からの距離に応じて、０．１６乃至０．７ｍｍであって、前記冷陰極管からの距離が遠くなるに従って０．１６ｍｍに近い値となり、冷陰極管からの距離が近くなるに従って０．７ｍｍに近い値となる
ことを特徴とする請求項１記載のバックライト装置。
【請求項４】
前記冷陰極管は、出射輝度値が１７０００ｃｄ／ｍ2以上であって、かつ、前記冷陰極管上の位置での輝度値と、前記冷陰極管間の中間位置での輝度値との輝度差が７００乃至１４００ｃｄ／ｍ2である
ことを特徴とする請求項１記載のバックライト装置。
【請求項５】
前記拡散板は、前記複数の冷陰極管が配置された面から７ｍｍ以下の距離に配置される
ことを特徴とする請求項１記載のバックライト装置。
【請求項６】
調光用ドットパターンの各ドットは、遮光剤濃度が１８乃至３２ｗｔ％であって、かつ、拡散剤濃度が３．０乃至４．５ｗｔ％で調合されたインクにより、前記拡散板上に印刷される
ことを特徴とする請求項１記載のバックライト装置。
【請求項７】
前記インクは、当該インク中の濃度が０乃至７ｗｔ％の紫外線防止剤と、当該インク中の濃度が０乃至１ｗｔ％の消泡剤とを含んでいること
を特徴とする請求項６記載のバックライト装置。
【請求項８】
前記拡散板に前記調光用ドットパターンを印刷する際の前記インクの塗り回数は、通常１回とし、重ね塗りをする場合は、塗り回数を２乃至３回までとすること
を特徴とする請求項６記載のバックライト装置。
【請求項９】
調光用ドットパターンの各ドットは、前記冷陰極管の長手方向に対して１．２乃至２ｍｍの間隔で、かつ、前記長手方向に対して垂直の方向に０．５乃至１ｍｍの間隔で、千鳥配列に前記拡散板上に印刷される
ことを特徴とする請求項１記載のバックライト装置。
【請求項１０】
前記調光用ドットパターンは、前記複数の蛍光管と相対する前記拡散板の一方主面上又は前記一方主面に対向する他方主面上に形成されていること
を特徴とする請求項１記載のバックライト装置。
【請求項１１】
前記拡散板は、前記調光用ドットパターンが印刷された透明フィルムを、当該拡散板の一方主面上又は前記一方主面に対向する他方主面上に積層することで、前記調光用ドットパターンを形成すること
を特徴とする請求項１記載のバックライト装置。
【請求項１２】
透過型の液晶表示パネルと、前記液晶表示パネルを背面側から照明するバックライト装置とを備える液晶表示装置であって、
前記バックライト装置は、複数の冷陰極管からなる光源と、
前記光源の投光方向に前記光源に対向するように配置された、全光線透過率が６２乃至７１％、且つ、曇価が９０乃至９０％であり、調光用ドットパターンが形成された拡散板とを備え、
前記調光用ドットパターンの各ドットは、前記冷陰極管の間隔を２４乃至４８分割した位置に対向する前記拡散板上に、各ドットの径が、前記冷陰極管からの距離に応じて０．１６乃至０．７ｍｍとなるように形成されていること
を特徴とする液晶表示装置。
【請求項１３】
前記拡散板の全光線透過率が略６２％であって、前記調光用ドットパターンの各ドットが、前記冷陰極管の間隔を２４分割した位置に配置された場合、前記各ドットの径は、前記冷陰極管からの距離に応じて、０．１６乃至０．６８ｍｍであって、前記冷陰極管からの距離が遠くなるに従って０．１６ｍｍに近い値となり、冷陰極管からの距離が近くなるに従って０．６８ｍｍに近い値となる
ことを特徴とする請求項１２記載の液晶表示装置。
【請求項１４】
前記拡散板の全光線透過率が略６６％であって、前記調光用ドットパターンの各ドットが、前記冷陰極管の間隔を４８分割した位置に配置された場合、前記各ドットの径は、前記冷陰極管からの距離に応じて、０．１６乃至０．７ｍｍであって、前記冷陰極管からの距離が遠くなるに従って０．１６ｍｍに近い値となり、冷陰極管からの距離が近くなるに従って０．７ｍｍに近い値となる
ことを特徴とする請求項１２記載の液晶表示装置。
【請求項１５】
前記冷陰極管は、出射輝度値が１７０００ｃｄ／ｍ2以上であって、かつ、前記冷陰極管上の位置での輝度値と、前記冷陰極管間の中間位置での輝度値との輝度差が７００乃至１４００ｃｄ／ｍ2である
ことを特徴とする請求項１２記載の液晶表示装置。
【請求項１６】
前記拡散板は、前記複数の冷陰極管が配置された面から７ｍｍ以下の距離に配置される
ことを特徴とする請求項１２記載の液晶表示装置。
【請求項１７】
調光用ドットパターンの各ドットは、遮光剤濃度が１８乃至３２ｗｔ％であって、かつ、拡散剤濃度が３．０乃至４．５ｗｔ％で調合されたインクにより、前記拡散板上に印刷される
ことを特徴とする請求項１２記載の液晶表示装置。
【請求項１８】
前記インクは、当該インク中の濃度が０乃至７ｗｔ％の紫外線防止剤と、当該インク中の濃度が０乃至１ｗｔ％の消泡剤とを含んでいること
を特徴とする請求項１７記載の液晶表示装置。
【請求項１９】
前記拡散板に前記調光用ドットパターンを印刷する際の前記インクの塗り回数は、通常１回とし、重ね塗りをする場合は、塗り回数を２乃至３回までとすること
を特徴とする請求項１７記載の液晶表示装置。
【請求項２０】
調光用ドットパターンの各ドットは、前記冷陰極管の長手方向に対して１．２乃至２ｍｍの間隔で、かつ、前記長手方向に対して垂直の方向に０．５乃至１ｍｍの間隔で、千鳥配列に前記拡散板上に印刷される
ことを特徴とする請求項１２記載の液晶表示装置。
【請求項２１】
前記調光用ドットパターンは、前記複数の蛍光管と相対する前記拡散板の一方主面上又は前記一方主面に対向する他方主面上に形成されていること
を特徴とする請求項１２記載の液晶表示装置。
【請求項２２】
前記拡散板は、前記調光用ドットパターンが印刷された透明フィルムを、当該拡散板の一方主面上又は前記一方主面に対向する他方主面上に積層することで、前記調光用ドットパターンを形成すること
を特徴とする請求項１２記載の液晶表示装置。
【請求項２３】
赤色光、緑色光、青色光をそれぞれ発光する複数の発光ダイオードからなる光源と、
前記光源の投光方向に、前記光源に所定の間隔で対向するように配された、全光線透過率が５０乃至９３％、且つ、曇価が７０％乃至９３％であり、調光用ドットパターンが形成された、入射された赤色光、緑色光、青色光を混色させる拡散導光板とを備え、
前記調光用ドットパターンの各ドットは、前記拡散導光板上の前記各発光ダイオードに１対１で対向する位置に、各ドットの形状が、前記発光ダイオードの発光中心に対して対称又は非対称となり、各ドットの面積が、２８乃至８６ｍｍ２となるように形成されていること
を特徴とするバックライト装置。
【請求項２４】
前記調光用ドットパターンの各ドットは、遮光剤濃度を１８乃至３２ｗｔ％とし、且つ拡散剤濃度を３．０乃至４．５ｗｔ％として調合されたインクを、前記拡散導光板に印刷することで形成されること
を特徴とする請求項２３記載のバックライト装置。
【請求項２５】
前記インクは、当該インク中の濃度が０乃至７ｗｔ％の紫外線防止剤と、当該インク中の濃度が０乃至１ｗｔ％の消泡剤とを含んでいること
を特徴とする請求項２４記載のバックライト装置。
【請求項２６】
前記拡散導光板に前記調光用ドットパターンを印刷する際の前記インクの塗り回数は、通常１回とし、重ね塗りをする場合は、塗り回数を２乃至３回までとすること
を特徴とする請求項２４記載のバックライト装置。
【請求項２７】
前記調光用ドットパターンは、前記光源と相対する前記拡散導光板の一方主面上又は前記一方主面に対向する他方主面上に形成されていること
を特徴とする請求項２３記載のバックライト装置。
【請求項２８】
前記拡散導光板は、前記調光用ドットパターンが印刷された透明フィルムを、当該拡散導光板の一方主面上又は前記一方主面に対向する他方主面上に積層することで、前記調光用ドットパターンを形成すること
を特徴とする請求項２３記載のバックライト装置。
【請求項２９】
前記複数の発光ダイオードと１対１で対向するように前記拡散導光板に印刷された前記調光用ドットパターンの各ドットは、前記発光ダイオードで発光される各色光に応じて、使用するインクの組成、各ドットの形状、各ドットの面積が調節されていること
を特徴とする請求項２４記載のバックライト装置。
【請求項３０】
透過型の液晶表示パネルと、前記液晶表示パネルを背面側から照明するバックライト装置とを備える液晶表示装置であって、
前記バックライト装置は、赤色光、緑色光、青色光をそれぞれ発光する複数の発光ダイオードからなる光源と、
前記光源の投光方向に、前記光源に所定の間隔で対向するように配された、全光線透過率が５０乃至９３％、且つ、曇価が７０％乃至９３％であり、調光用ドットパターンが形成された、入射された赤色光、緑色光、青色光を混色させる拡散導光板とを備え、
前記調光用ドットパターンの各ドットは、前記拡散導光板上の前記各発光ダイオードに１対１で対向する位置に、各ドットの形状が、前記発光ダイオードの発光中心に対して対称又は非対称となり、各ドットの面積が、２８乃至８６ｍｍ２となるように形成されていること
を特徴とする液晶表示装置。
【請求項３１】
前記調光用ドットパターンの各ドットは、遮光剤濃度を１８乃至３２ｗｔ％とし、且つ拡散剤濃度を３．０乃至４．５ｗｔ％として調合されたインクを、前記拡散導光板に印刷することで形成されること
を特徴とする請求項３０記載の液晶表示装置。
【請求項３２】
前記インクは、当該インク中の濃度が０乃至７ｗｔ％の紫外線防止剤と、当該インク中の濃度が０乃至１ｗｔ％の消泡剤とを含んでいること
を特徴とする請求項３１記載の液晶表示装置。
【請求項３３】
前記拡散導光板に前記調光用ドットパターンを印刷する際の前記インクの塗り回数は、通常１回とし、重ね塗りをする場合は、塗り回数を２乃至３回までとすること
を特徴とする請求項３１記載の液晶表示装置。
【請求項３４】
前記調光用ドットパターンは、前記光源と相対する前記拡散導光板の一方主面上又は前記一方主面に対向する他方主面上に形成されていること
を特徴とする請求項３０記載の液晶表示装置。
【請求項３５】
前記拡散導光板は、前記調光用ドットパターンが印刷された透明フィルムを、当該拡散導光板の一方主面上又は前記一方主面に対向する他方主面上に積層することで、前記調光用ドットパターンを形成すること
を特徴とする請求項３０記載の液晶表示装置。
【請求項３６】
前記複数の発光ダイオードと１対１で対向するように前記拡散導光板に印刷された前記調光用ドットパターンの各ドットは、前記発光ダイオードで発光される各色光に応じて、使用するインクの組成、各ドットの形状、各ドットの面積が調節されていること
を特徴とする請求項３１記載の液晶表示装置。
【請求項３７】
複数の光源からの光線を拡散する拡散部材であって、
前記拡散部材は、光入射面or光射出面に、反射性、遮光性、拡散性を有する調光部が複数設けられ、前記調光部に、全光線透過率が５０％以上、かつ、曇価が９０〜９９％である、調光用ドットを有し、
前記調光用ドットは、前記光源からの距離に応じて、前記光源上に近い位置においては、遮光する光量を増大させ、前記光源からの距離が遠い位置においては、遮光する光量を減少させるように、その径を変えて形成されている拡散部材。
【請求項３８】
前記調光部は、前記光源の間隔を２４〜４８分割した位置に設けられていること
を特徴とする請求項３７記載の拡散部材。
【請求項３９】
前記調光用ドットは、１列おきに１行ずつ位置を互い違いに配置されており、全光線透過率が６２〜７１％であること
を特徴とする請求項３７記載の拡散部材。
【請求項４０】
前記光源は、発光ダイオードであり、前記調光用ドットは、前記発光ダイオードの発光部の外形よりも大きいこと
を特徴とする請求項３７記載の拡散部材。
【請求項４１】
全光線透過率が５０％〜９３％であること
を特徴とする請求項４０記載の拡散部材。
【請求項４２】
前記光源は、発光ダイオードであり、前記調光用ドットは、各発光ダイオードに対して１対１で対向していること
を特徴とする請求項３７記載の拡散部材。
【請求項４３】
前記調光用ドットは、印刷により形成されていること
を特徴とする請求項３７記載の拡散部材。
【請求項４４】
前記調光用ドットは、複数回印刷により形成されていること
を特徴とする請求項３７記載の拡散部材。
【請求項４５】
前記調光用ドットは、用いるインクを変えて複数回印刷を実行することにより形成されていること
を特徴とする請求項３７記載の拡散部材。
【請求項４６】
複数の光源と、
前記複数の光源からの光線を拡散させる第１の拡散部材と、
前記弟１の拡散部材から出射される光線をさらに拡散する第２の拡散部材とを備え、
前記第２の拡散部材は、光入射面or光射出面に、反射性、遮光性、拡散性を有する調光部が複数設けられ、前記調光部に、全光線透過率が５０％以上、かつ、曇価が９０〜９９％である、調光用ドットを有し、前記調光用ドットは、前記光源からの距離に応じて、前記光源上に近い位置においては、遮光する光量を増大させ、前記光源からの距離が遠い位置においては、遮光する光量を減少させるように、その径を変化さて形成されていること
を特徴とするバックライト装置。
【請求項４７】
透過型の液晶表示パネルと、前記液晶表示パネルを背面側から照明するバックライト装置とを備える液晶表示装置であって、
前記バックライト装置は、複数の光源と、前記複数の光源からの光線を拡散させる第１の拡散部材と、前記弟１の拡散部材から出射される光線をさらに拡散する第２の拡散部材とを備え、
前記第２の拡散部材は、光入射面or光射出面に、反射性、遮光性、拡散性を有する調光部が複数設けられ、前記調光部に、全光線透過率が５０％以上、かつ、曇価が９０〜９９％である、調光用ドットを有し、前記調光用ドットは、前記光源からの距離に応じて、前記光源上に近い位置においては、遮光する光量を増大させ、前記光源からの距離が遠い位置においては、遮光する光量を減少させるように、その径を変化さて形成されていること
を特徴とする液晶表示装置。
【手続補正２】
【補正対象書類名】明細書
【補正対象項目名】発明の名称
【補正方法】変更
【補正の内容】
【発明の名称】バックライト装置、液晶表示装置及び拡散部材
【手続補正３】
【補正対象書類名】明細書
【補正対象項目名】０００１
【補正方法】変更
【補正の内容】
【０００１】
本発明は、バックライト装置、液晶表示装置及び拡散部材に関し、特に、低消費電力で、かつ、高輝度に発光できるようにしたバックライト装置、このバックライト装置を備えた液晶表示装置及び上記バックライト装置に用いられる拡散部材に関する。
【手続補正４】
【補正対象書類名】明細書
【補正対象項目名】００１５
【補正方法】変更
【補正の内容】
【００１５】
そこで、本発明は、上述したような問題を解決するために案出されたものであり、光源として点光源又は線光源を使用する直下型のバックライト装置において、面状発光させた場合に生ずる不均一な輝度を、光源で消費される消費電力を上げることなく十分な輝度値を確保しながら均一化させるバックライト装置、このバックライト装置を備えた液晶表示装置及び上記バックライト装置に用いられる拡散部材を提供することを目的とする。
【手続補正５】
【補正対象書類名】明細書
【補正対象項目名】００２３
【補正方法】変更
【補正の内容】
【００２３】
この液晶表示装置によれば、バックライト装置によって、光源の消費電力を上げることなく確保された十分な輝度値を有し、さらに輝度が均一化されて面状発光された混色性の高い光で液晶表示パネルを照明する。
また、本発明は、複数の光源からの光線を拡散する拡散部材であって、前記拡散部材は、光入射面or光射出面に、反射性、遮光性、拡散性を有する調光部が複数設けられ、前記調光部に、全光線透過率が５０％以上、かつ、曇価が９０〜９９％である、調光用ドットを有し、前記調光用ドットは、前記光源からの距離に応じて、前記光源上に近い位置においては、遮光する光量を増大させ、前記光源からの距離が遠い位置においては、遮光する光量を減少させるように、その径を変えて形成されていることを特徴とする。
この拡散部材によれば、複数の光源からの光線を拡散して、輝度ムラがなく、混色性の高い光とすることができる。
また、本発明は、バックライト装置であって、複数の光源と、前記複数の光源からの光線を拡散させる第１の拡散部材と、前記弟１の拡散部材から出射される光線をさらに拡散する第２の拡散部材とを備え、前記第２の拡散部材は、光入射面or光射出面に、反射性、遮光性、拡散性を有する調光部が複数設けられ、前記調光部に、全光線透過率が５０％以上、かつ、曇価が９０〜９９％である、調光用ドットを有し、前記調光用ドットは、前記光源からの距離に応じて、前記光源上に近い位置においては、遮光する光量を増大させ、前記光源からの距離が遠い位置においては、遮光する光量を減少させるように、その径を変化さて形成されていることを特徴とする。
この液晶表示装置によれば、バックライト装置によって、光源の消費電力を上げることなく確保された十分な輝度値を有し、さらに輝度が均一化されて面状発光された混色性の高い光で液晶表示パネルを照明する。
さらに、本発明は、透過型の液晶表示パネルと、前記液晶表示パネルを背面側から照明するバックライト装置とを備える液晶表示装置であって、前記バックライト装置は、複数の光源と、前記複数の光源からの光線を拡散させる第１の拡散部材と、前記弟１の拡散部材から出射される光線をさらに拡散する第２の拡散部材とを備え、前記第２の拡散部材は、光入射面or光射出面に、反射性、遮光性、拡散性を有する調光部が複数設けられ、前記調光部に、全光線透過率が５０％以上、かつ、曇価が９０〜９９％である、調光用ドットを有し、前記調光用ドットは、前記光源からの距離に応じて、前記光源上に近い位置においては、遮光する光量を増大させ、前記光源からの距離が遠い位置においては、遮光する光量を減少させるように、その径を変化さて形成されていることを特徴とする。
この液晶表示装置によれば、バックライト装置によって、光源の消費電力を上げることなく確保された十分な輝度値を有し、さらに輝度が均一化されて面状発光された混色性の高い光で液晶表示パネルを照明する。
【手続補正６】
【補正対象書類名】明細書
【補正対象項目名】００２５
【補正方法】変更
【補正の内容】
【００２５】
そして、このバックライト装置を備える液晶表示装置も薄型化されると共に、輝度ムラがなく、混色性の高い白色光で液晶表示パネルが照明されるため、非常に良好な画像を表示させることを可能とする。
また、この拡散部材により、複数の光源からの光線を拡散して、輝度ムラがなく、混色性の高い光とすることができる。